(57)【要約】【課題】容易にかつ確実に固定させることができる固定具を提供する。【解決手段】本体１の一側から穴２をあけて穴２の途中から横方向にくぼみ３を設け、くぼみ３の奥に保持磁石４を設けている。摺動片８を穴２にはめ、くぼみ３にはまるロック片９を摺動片８に設けている。磁石１０をロック片９に設けている。図１の上図は、本体１の穴２内から摺動片８を引き抜いた状態を示している。穴２の底にシート状の支持片６を配置し、摺動片８を穴２内に押し込んで支持片６に押し付けたとき、図１の下図が示すように本体１の保持磁石４にロック片９の磁石１０が吸引されることでロック片９が本体１のくぼみ３に引き込まれロックされてしまう。これで支持片６を固定したことになる。ロックを解除するときは、本体１の貫通穴５に棒状の物を差し込んでロック片９をくぼみ３内から押し出せばよい。【選択図】図１
2007283043.tif 000002
【特許請求の範囲】
【請求項１】
本体（１）の一側から穴（２）をあけて穴（２）の途中から横方向にくぼみ（３）を設け、くぼみ（３）の奥には保持磁石（４）を設け、穴（２）にちょうどはまる形状とした摺動片（８）を穴（２）内で摺動できるようにして穴（２）にはめ、摺動片（８）を押し込んで穴（２）の最奥に配置した支持片（６）に押し付けたところで本体（１）のくぼみ（３）に対応する位置においてくぼみ（３）内へちょうどはまるロック片（９）を前後動できるようにして摺動片（８）に設け、本体（１）の保持磁石（４）と対向する位置において保持磁石（４）と吸着し合う磁石（１０）をロック片（９）に設けた固定具。
【請求項２】
本体（１）のくぼみ（３）にはまったロック片（９）を押し出す方向の貫通穴（５）をくぼみ（３）から本体（１）外へと設けたことを特徴とする、請求項１記載の固定具。
【発明の詳細な説明】
【技術分野】
【０００１】  本発明は、各種のシート状体・板状体・線状体・棒状体・パイプ状体等を固定する固定具、または各種のシート材体等に他の物を固定する固定具、または各種のシート状体等を介して他の物に固定する若しくは他の物を固定する固定具に関するものである。
【背景技術】
【０００２】  各種のシート状体等を固定する固定具、または各種のシート材体等に他の物を固定する固定具、または各種のシート状体等を介して他の物に固定する若しくは他の物を固定する固定具としては、ばね・フック・掛け金・面ファスナー・磁石等を利用したいろいろなものが使用されている。
【発明の開示】
【発明が解決しようとする課題】
【０００３】  前記従来のものには次のような欠点がある。例えば、ばねを利用したものでは、ばねを強くし過ぎると力の弱い者には作動がしにくくなる。弱くし過ぎると作動が不確実になったりする。長期間使用するうちにばねが弱くなり、同じく作動が完全にはいかなくなったりすることもある。ばね・フック・掛け金等を使ったもののうちには、突起物があったりしてデザイン的に好ましくないものもある。フック・掛け金・面ファスナー等を使用したもののうちには、固定するときに一回以上の余計な動作が必要となるものもある。磁石を用いたものでは、磁気力だけで強い固定力を得るようにしているため、強い磁石を使用しなければならないこともある。強い磁石は大きくなりがちで高価になる。【０００４】  本発明が解決しようとする課題は、ほとんど力を使わずに容易にかつ確実に作動させることができ、弱い磁石を使っても強い固定力で固定することができ、固定力は時間が経過しても弱まることがなく、デザイン的にも問題のない固定具を提供する点にある。
【課題を解決するための手段】
【０００５】  請求項１に係る固定具は、本体１の一側から穴２をあけて穴２の途中から横方向にくぼみ３を設け、くぼみ３の奥には保持磁石４を設け、穴２にちょうどはまる形状とした摺動片８を穴２内で摺動できるようにして穴２にはめ、摺動片８を押し込んで穴２の最奥に配置した支持片６に押し付けたところで本体１のくぼみ３に対応する位置においてくぼみ３内へちょうどはまるロック片９を前後動できるようにして摺動片８に設け、本体１の保持磁石４と対向する位置において保持磁石４と吸着し合う磁石１０をロック片９に設けたものである。請求項２に係る固定具は、請求項１記載のものにおいて、本体１のくぼみ３にはまったロック片９を押し出す方向の貫通穴５をくぼみ３から本体１外へと設けたことを特徴とするものである。本体１の穴２内から摺動片８を引き抜いた状態では、ロックが解除されている。摺動片８を穴２内に押し込んで穴２内の奥の支持片６に押し付けたとき、本体１の保持磁石４にロック片９の磁石１０が吸引されることでロック片９が本体１のくぼみ３に引き込まれロックされてしまう。ロックを解除するときは、本体１の貫通穴５に棒状の物を差し込んだりしてロック片９をくぼみ３内から押し出せばよい。
【発明の効果】
【０００６】  本発明に係る固定具においては、本体１の穴２の最奥に支持片６を配置して摺動片８を単に押し込むだけで後は磁力で自動的に固定できるので、力はほとんど必要とせず、操作は容易である。固定時は磁力で固定止状態を維持するわけではないので、弱い磁石を使っても強い固定力で固定することができる。固定力は時間が経過しても弱まることがない。突出する部分がないので、デザイン的にも問題がない。
【発明を実施するための最良の形態】
【０００７】  本発明を実施するための最良の形態を図１及び図２に基づいて説明する。図１は固定具の作動を示す部分断面図、図２は図１に示した固定具を紙面に直交する方向で垂直に切断した断面図（イ）及び別の３種の実施形態を示す、断面図（イ）に対応する各断面図である。本体１はほぼ直方体に形成し、右半分の部分において上面から下方へと直方体形状の穴２を開けている。図２（イ）が示すように、穴２の底は波形に形成している。穴２内の途中から左方へと断面円形のくぼみ３を設け、くぼみ３の奥から左方へと保持磁石４を埋め込んでいる。保持磁石４の下方位置においてくぼみ３から左端へと貫通する貫通穴５を開けている。特に図２（イ）から明らかなように、シート状の支持片６の一端を本体１の下端に取り付け、支持片６がちょうどはまる貫通穴を穴２の下端付近において本体１の左右にあけて支持片６を一方の貫通穴から穴２内へ通した後に他方の貫通穴を通して本体１の外に出している。本体１の右端には右方へ伸びる板状片７を取り付けている。【０００８】  本体１の穴２にちょうどはまる形状とした摺動片８を用意し、摺動片８を穴２内に摺動自在にはめている。摺動片８の下端形状は本体１の穴２の下端形状と同じにしている。そして、穴２の下端に配置した支持片６に摺動片８を押し付けたとき本体１のくぼみ３に対応する位置にくぼみ３内へちょうどはまるロック片９を前後動自在に摺動片８に設けている。本体１の保持磁石４と対向する位置において保持磁石４と吸着し合う磁石１０をロック片９に設けている。図１の上図は本体１の穴２内から摺動片８を引き上げた状態を示している。摺動片８を穴２内に押し込んで支持片６に押し付けたとき、図１の下図が示すように本体１の保持磁石４にロック片９の磁石１０が吸引されることでロック片９が本体１のくぼみ３に引き込まれロックされてしまう。ロックを解除するときは、本体１の貫通穴５に棒状の物を差し込んでロック片９をくぼみ３内から押し出せばよい。【０００９】  以上のものには各種用途が考えられる。例えば眼鏡等の各種商品の万引き防止に利用する。板状片７に磁気シートを取り付け、ロックを解除した状態にして支持片６の輪に眼鏡のテンプル等の各種商品の適当部分を通し、支持片６で締め付けた後に摺動片８を本体１の穴２内に押し込み摺動片８の下端を支持片６に押し付ける。本体１のくぼみ３内にロック片９が引き込まれてロックされ、各種商品に磁気シートが取り付けられたことになる。万引き客が店外へ持ち出そうとした場合、万引き防止ゲートでセンサが検知する。客が商品をレジに持ち込んだ場合は、図１の下図に示すように、店員が本体１の貫通穴５に棒状体を差し込んでロック片９を摺動片８内へ押し戻し、ロックを解除して支持片６を緩め商品から外す。貫通穴５を鍵穴とし貫通穴５に差し込むのは専用の鍵ということにし、店員だけが専用鍵を使用できるようにすれば、完全な万引き防止ができる。【００１０】  シート状の支持片６は、図２（ロ）に示すように二重に折り返して使用することもできる。図２（ハ）に示すように一枚にすることもできる。図２（ニ）に示すように、支持片６を棒状のものにすることもできる。支持片６はシート状・板状・線状・棒状・パイプ状等���ものとすることができる。そして、本発明に係る固定具は、各種シート状体等を固定する固定具、または各種シート状体等に他の物を固定する固定具、または各種シート状体等を介して他の物に固定する若しくは他の物を固定する固定具にすることもできる。
【図面の簡単な説明】
【００１１】
【図１】発明を実施するための最良の形態を示す部分断面図である。
【図２】図１に示したものの断面図及び他の３種の実施形態の断面図である。
【符号の説明】
【００１２】    １  本体    ２  穴      ３  くぼみ    ４  保持磁石    ５  貫通穴
６  支持片  ８  摺動片  ９  ロック片  １０  磁石
【図１】
2007283043.tif 000003
【図２】
2007283043.tif 000004